(57)【要約】      （修正有）【課題】低侵襲手術専用骨釘構造を提供する。【解決手段】特に、本体の受け座１１の二つの第一の側壁１１２から、第二の側壁１１３が伸び、第一の側壁１１２と第二の側壁１１３との間に、リング状に、Ｖ形溝１１４が形成されるため、十分に、骨釘に必要とする操作空間が構成されて、便利さが向上し、また、有効に、創傷の開口面積が低減される。【選択図】図１
0003184282.tif 000002
【実用新案登録請求の範囲】
【請求項１】
受け座と枢着座があり、上記受け座が、貫通孔と第一の側壁を有し、上記第一の側壁の内部に、第一のめねじが形成される本体と、上記本体の枢着座に枢着され、内孔が形成されるロック釘と、が備えられる低侵襲手術専用骨釘構造であって、
上記受け座の二つの第一の側壁から、それぞれ、第二の側壁が延び、上記第一の側壁と第二の側壁との間において、リング状にV形溝が形成され、上記第二の側壁の内部に、第二のめねじが形成される、
ことを特徴とする低侵襲手術専用骨釘構造。
【請求項２】
上記第一の側壁の内部に形成される第一のめねじと第二の側壁内部に形成される第二のめねじが、同じ方向に回転して連続的になることを特徴とする請求項1に記載の低侵襲手術専用骨釘構造。
【請求項３】
上記ロック釘に、更に、複数の注入穴が形成され、上記複数の注入穴と内孔とが、互いに連通することを特徴とする請求項1に記載の低侵襲手術専用骨釘構造。
【考案の詳細な説明】
【技術分野】
【０００１】
本考案は、低侵襲手術専用骨釘構造に関し、特に、骨釘本体の受け座から、側壁が延び、力を印加できるせん断箇所であるV形溝が増設される低侵襲手術専用骨釘構造に関する。
【背景技術】
【０００２】
従来の骨釘構造は、短い構造の設計を取っており、体外まで伸びることができなく、インプラント手術の時、十分の操作空間をとるため、大面積の創傷開口が形成されなければならない。
【０００３】
図４のような従来の骨釘構造は、受け座a1と枢着座a2を有し、上記受け座a1が、貫通孔a11と二つの第一の側壁a12を有し、上記第一の側壁a12の内部に、第一のめねじa121が形成される本体aと、上記本体aの枢着座a2に枢着され、内孔b1(図に未表示)が形成され、また、更に、複数の注入穴b2が形成され、上記複数の注入穴b2と内孔b1とが、互いに連通するロック釘bと、が備えられる。
【０００４】
上記の、従来の骨釘構造は、1、短い構造の設計を取っており、体外まで伸びることができなく、2、手術に、大面積の創傷開口が形成されて、手術後の回復に不利であり、3、手術によって、大面積の創傷開口が形成され、過程において、感染のリスクが向上され、4、手術過程において、容易に、必要しない組織が破壊されるリスクが高くなる、などの欠点がある。
【０００５】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００６】
本考案は、骨釘本体の受け座から側壁が延び、力を印加できるせん断箇所のV形溝が増設されることにより、低侵襲手術を実現できる低侵襲手術専用骨釘構造を提供する。
【０００７】
本考案に係る低侵襲手術専用骨釘構造によれば、1、長い構造の設計で、体外まで伸びることができ、2、骨釘を操作するための必要空間が保持され、創傷の開口面積が低減され、3、手術による創傷開口が、小面積になり、手術術の回復に有利であり、4、手術による創傷開口が小面積であるため、過程において、感染のリスクが低下され、5、手術過程において、必要としない組織破壊リスクが低下される、などの利点が得られる。
【課題を解決するための手段】
【０００８】
請求項１の考案は、受け座と枢着座があり、上記受け座が、貫通孔と第一の側壁を有し、上記第一の側壁の内部に、第一のめねじが形成される本体と、上記本体の枢着座に枢着され、内孔が形成されるロック釘と、が備えられる低侵襲手術専用骨釘構造であって、上記受け座の二つの第一の側壁から、それぞれ、第二の側壁が延び、上記第一の側壁と第二の側壁との間において、リング状にV形溝が形成され、上記第二の側壁の内部に、第二のめねじが形成される、ことを特徴とする低侵襲手術専用骨釘構造である。
【０００９】
請求項２の考案は、上記第一の側壁の内部に形成される第一のめねじと第二の側壁内部に形成される第二のめねじが、同じ方向に回転して連続的になることを特徴とする請求項1に記載の低侵襲手術専用骨釘構造である。
【００１０】
請求項３の考案は、上記ロック釘に、更に、複数の注入穴が形成され、上記複数の注入穴と内孔とが、互いに連通することを特徴とする請求項1に記載の低侵襲手術専用骨釘構造である。
【００１１】
以下、図面を参照しながら、本考案の特徴や技術内容について、詳しく説明するが、それらの図面等は、参考や説明のためであり、本考案は、それによって制限されることが無い。
【考案を実施するための形態】
【００１２】
図1と図２を参照しながら、本考案に係る低侵襲手術専用骨釘構造は、本体1とロック釘2があり、本体1は、受け座11と枢着座12を有し、上記受け座11に、貫通孔111と二つの第一の側壁112があり、また、上記第一の側壁112の内部に、第一のめねじ1121が形成され、また、ロック釘2は、上記本体1の枢着座12に枢着され、内孔21が形成され、本考案の特徴は、上記受け座12の二つの第一の側壁112から、それぞれ、第二の側壁113が伸び、上記第一の側壁112と第二の側壁113との間において、リング状にV形溝114が形成され、また、上記第二の側壁113の内部に、第二のめねじ1131が形成され、また、上記第一の側壁112の内部に形成された第一のめねじ1121が、第二の側壁113の内部に形成された第二のめねじ1131と、同じ方向に回転して連続的になり、また、上記ロック釘2は、更に、複数の注入穴22が形成され、上記複数の注入穴22が、内孔21と、互いに連通される。
【００１３】
図３のような本考案の骨釘構造は、本体1の先端にあるロック釘2が、脊椎骨3にロックされ、第一の側壁112から伸びた第二の側壁113が、筋肉組織4を通して皮膚5から露出できるため、即ち、骨釘の本体1をインプラントする時、人体に対して低侵襲手術だけを行えば、ロック釘2を、脊椎骨3の正確位置にロックでき、小面積の創傷開口だけで、手術目的が達成されるため、手術後の回復状況が良く、感染リスクが低減される、などの良い効果が得られ、また、第一の側壁112と第二の側壁113との間に、形成されたV形溝114を、骨釘のインプラント手術手順が終了された後、第二の側壁113を移除するため、補助ツールで力を印加するためのせん断箇所として利用でき、そのため、第一の側壁112だけを有する本体1が、体内に残される。
【００１４】
以上のように、本考案に係る低侵襲手術専用骨釘構造の応用技術は、特に、本体1の受け座11の二つの第一の側壁112から、第二の側壁113が伸び、第一の側壁112と第二の側壁113との間に、リング状に、V形溝114が形成されるため、十分に、骨釘に必要とすう操作空間が提供されて、便利さが向上され、また、有効に、創傷の開口面積が低減される。
【００１５】
そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】本考案の実施例の骨釘構造の外観立体図
【図２】本考案の実施例の骨釘構造の外観側面図
【図３】本考案の実施例の骨釘装置の応用状態図
【図４】従来の骨釘構造の外観立体図
【符号の説明】
【００１８】
1  本体
11  受け座    
111     貫通孔            
112     第一の側壁
1121        第一のめねじ    
113     第二の側壁
1131        第二のめねじ
114     V形溝
12  枢着座
2  ロック釘
21  内孔
22  注入穴
3  脊椎骨
4  筋肉組織
5  皮膚
a  本体
a1  受け座    
a11     貫通孔            
a12           側壁
a121   めねじ   
a2  枢着座
b  ロック釘
b1  内孔
b2  注入穴
【図１】
0003184282.tif 000003
【図２】
0003184282.tif 000004
【図３】
0003184282.tif 000005
【図４】
0003184282.tif 000006